(57)【要約】【課題】録画情報を再生することなく、録画中に停電が発生したことを知ることができ、利便性が向上する録画装置を提供する。【解決手段】ハードディスクに録画中に停電が発生したことを停電復帰後にＣＰＵ８が検出すると、ＣＰＵ８はハードディスクドライブ９を用いてタイトル名に停電発生を表す文字列を付加した文字列情報である仮タイトル名情報を録画情報に対応させてハードディスクに記録させる。そして、リモコン２０の操作によりハードディスクから読み出された仮タイトル名情報は、ＯＳＤ部１４、ビデオエンコーダ１５を介してコンポジット信号に変換され、ハードディスクレコーダ１に接続された表示装置に送出され、タイトル名および停電発生を表す文字列が表示装置に表示される。【選択図】図１
2007214727.tif 000002
【特許請求の範囲】
【請求項１】
記憶手段を備え、記録媒体に録画中は前記記録媒体に録画中であることを表す情報が前記記憶手段に記憶され、
前記記憶手段に前記記録媒体に録画中であることを表す情報が記憶されていることを停電復帰後に検出することで、前記記録媒体に録画中に停電が発生したことを停電復帰後に検出すると、タイトル名を表す情報および停電発生を表す文字列の情報を録画情報に対応させて前記記録媒体に記録させる制御手段と、
前記タイトル名を表示手段に表示させるための信号を前記記録媒体に記録された前記タイトル名を表す情報に基づき生成する第一の信号生成手段と、
前記タイトル名が前記表示手段に表示されているときに停電発生を表す文字列を前記表示手段に表示させるための信号を、前記記録媒体に記録された前記停電発生を表す文字列の情報に基づき生成する第二の信号生成手段と、
を備えることを特徴とする録画装置。
【請求項２】
記録媒体に録画中に停電が発生したことを停電復帰後に検出すると、タイトル名を表す情報および停電発生を表す情報を録画情報に対応させて前記記録媒体に記録させる制御手段と、
前記タイトル名を表示手段に表示させるための信号を前記記録媒体に記録された前記タイトル名を表す情報に基づき生成する第一の信号生成手段と、
前記タイトル名が前記表示手段に表示されているときに停電発生を報知するための信号を、前記記録媒体に記録された前記停電発生を表す情報に基づき生成する第二の信号生成手段と、
を備えることを特徴とする録画装置。
【請求項３】
前記停電発生を表す情報は、停電発生を表す文字列の情報であり、
前記タイトル名が前記表示手段に表示されているときに停電発生を報知するための信号は、前記タイトル名が前記表示手段に表示されているときに停電発生を表す文字列を前記表示手段に表示させるための信号である、
ことを特徴とする請求項２に記載の録画装置。
【請求項４】
記憶手段を備え、前記記録媒体に録画中は前記記録媒体に録画中であることを表す情報が前記記憶手段に記憶され、
前記制御手段は、前記記憶手段に前記記録媒体に録画中であることを表す情報が記憶されていることを停電復帰後に検出することで、前記記録媒体に録画中に停電が発生したことを検出する、
ことを特徴とする請求項２または請求項３に記載の録画装置。
【発明の詳細な説明】
【技術分野】
【０００１】
本発明は、ハードディスクレコーダ等の録画装置に関する。
【背景技術】
【０００２】
ハードディスクレコーダ等の録画装置では、ハードディスク等の記録媒体に放送番組等が記録される。このような録画装置が通常録画中に停電が発生すると、録画が強制停止され、記録媒体に記録された録画情報は途中で途切れた状態となる。また、予約録画中に停電が発生すると、録画が強制停止され、停電復帰後、録画が再開され、予約録画終了時刻まで録画され、記録媒体に記録された録画情報は途中でジャンプするような状態となる。上記いずれの場合もユーザは録画装置が誤動作を起こしたと勘違いをする恐れがあった。
【０００３】
そこで、特許文献１には、録画中に停電が発生した場合、録画情報に停電が発生したことを示す表示データを多重して記録するものが開示されている。これによりユーザは、録画装置が誤動作をしたのではなく停電が発生したことを知ることができる。
【特許文献１】特開２００３−１０９３６０号公報（段落番号００４４）
【発明の開示】
【発明が解決しようとする課題】
【０００４】
しかし、上記特許文献１の従来技術では、録画情報を再生して初めてユーザは停電が発生したことを知ることができ、再生する前にまえもって知ることができず、不便であった。
【０００５】
上記問題点を鑑み、本発明は、録画情報を再生することなく、録画中に停電が発生したことを知ることができ、利便性が向上する録画装置を提供することを目的とする。
【課題を解決するための手段】
【０００６】
上記目的を達成するために本発明の録画装置は、記録媒体に録画中に停電が発生したことを停電復帰後に検出すると、タイトル名を表す情報および停電発生を表す情報を録画情報に対応させて前記記録媒体に記録させる制御手段と、
前記タイトル名を表示手段に表示させるための信号を前記記録媒体に記録された前記タイトル名を表す情報に基づき生成する第一の信号生成手段と、
前記タイトル名が前記表示手段に表示されているときに停電発生を報知するための信号を、前記記録媒体に記録された前記停電発生を表す情報に基づき生成する第二の信号生成手段と、
を備えることを特徴としている。
【０００７】
このような構成によれば、録画情報を再生することなく、ユーザは録画中に停電が発生したことを知ることができ、利便性が向上する。
【０００８】
上記構成において、前記停電発生を表す情報は、停電発生を表す文字列の情報として、前記タイトル名が前記表示手段に表示されているときに停電発生を報知するための信号は、前記タイトル名が前記表示手段に表示されているときに停電発生を表す文字列を前記表示手段に表示させるための信号とすればよい。
【０００９】
これにより、ユーザは表示手段に表示された停電発生を表す文字列を見て、録画中に停電が発生したことを知ることができる。
【００１０】
また、上記構成において、記憶手段を備え、前記記録媒体に録画中は前記記録媒体に録画中であることを表す情報が前記記憶手段に記憶され、前記制御手段は、前記記憶手段に前記記録媒体に録画中であることを表す情報が記憶されていることを停電復帰後に検出することで、前記記録媒体に録画中に停電が発生したことを検出するようにすればよい。
【発明の効果】
【００１１】
本発明の録画装置によれば、録画情報を再生することなく、録画中に停電が発生したことを知ることができ、利便性が向上する。
【発明を実施するための最良の形態】
【００１２】
以下、本発明の実施形態について図面を参照しつつ説明する。ここでは、ハードディスクレコーダを例として説明するが、本発明はこれに限られることはなく、ＤＶＤレコーダ等にも適用できる。
【００１３】
図１は、本発明に係るハードディスクレコーダ１の構成を示すブロック図である。
【００１４】
アンテナ２は、放送電波信号を受信し高周波信号である放送信号をチューナ３に送出する。チューナ３は、アンテナ２から受信した放送信号から所定の周波数の放送信号を選局して検波回路４に送出する。検波回路４は、チューナ３から受信した放送信号からコンポジット信号および音声信号を検波する。ビデオデコーダ５は、検波回路４から受信したコンポジット信号をデジタル映像信号に変換する。Ａ／Ｄコンバータ６は、検波回路４から受信した音声信号をデジタル音声信号に変換する。ＭＰＥＧエンコーダ７は、上記デジタル映像信号および上記デジタル音声信号をＭＰＥＧ２に準拠して圧縮符号化する。ハードディスクドライブ９は、上記圧縮符号化されたデジタル映像信号およびデジタル音声信号を内蔵するハードディスクに記録したり、ハードディスクから読み出したりする。
【００１５】
ＭＰＥＧデコーダ１０は、圧縮符号化されたデジタル映像信号およびデジタル音声信号をＭＰＥＧ２に準拠して復号化する。スイッチ１１は、ビデオデコーダ５からＯＳＤ（Ｏｎ  Ｓｃｒｅｅｎ  Ｄｉｓｐｌａｙ）部１４への信号経路と、ＭＰＥＧデコーダ１０からＯＳＤ部１４への信号経路とを切り換える。ＯＳＤ部１４は、図形信号や文字信号を生成し、ビデオデコーダ５またはＭＰＥＧデコーダ１０から受信したデジタル映像信号と合成して表示信号としてビデオエンコーダ１５に送出する。なお、ＯＳＤ部１４は、図形信号や文字信号のみを表示信号としてビデオエンコーダ１５に送出する場合もある。ビデオエンコーダ１５は、ＯＳＤ部１４から受信した表示信号をコンポジット信号に変換してハードディスレコーダ１に接続された図示しないテレビ等の表示装置に送出する。表示装置の画面には、上記コンポジット信号に基づき映像が表示される。
【００１６】
Ｄ／Ａコンバータ１３は、ＭＰＥＧデコーダ１０から受信したデジタル音声信号をアナログ音声信号に変換する。スイッチ１２は、検波回路４からハードディスレコーダ１外部への信号経路と、Ｄ／Ａコンバータ１３からハードディスレコーダ１外部への信号経路とを切り換える。スイッチ１２は、検波回路４またはＤ／Ａコンバータ１３から受信した音声信号をハードディスレコーダ１に接続された図示しない表示装置に送出する。表示装置のスピーカからは、上記音声信号に基づき音声が発せられる。
【００１７】
フラッシュメモリ１７は、ＣＰＵ８の制御用プログラムや各種情報が記憶される不揮発性メモリである。内部時計１８は、時刻を計るものであり、後述する予約録画等に用いられる。バックアップ用コンデンサ１９は、家庭用電源からの電力が充電される。上記内部時計１８は、通常は家庭用電源からの電力により動作するが、停電時に家庭用電源からの電力供給が途絶えても、上記バックアップ用コンデンサ１９に充電された電力により動作が維持される。ＲＡＭ２３は、ＣＰＵ８のワークメモリ等に用いられる。
【００１８】
リモコン受信部１６は、リモコン２０からの赤外線信号を受信および復調し、操作信号をＣＰＵ８に送出する。リモコン２０は、ボタン等のインターフェイスを有し、インターフェイスの操作に対応する赤外線信号を送出する。
【００１９】
次に、上記のような構成のハードディスクレコーダ１の動作について以下説明する。
【００２０】
リモコン２０が有するメインメニューボタンが押されると、リモコン２０が赤外線信号を送出し、リモコン受信部１６がこれを受信および復調し、メインメニュー表示を表す操作信号をＣＰＵ８に送出する。そして、ＣＰＵ８はＯＳＤ部１４にメインメニューを表示するよう指示し、ＯＳＤ部１４はメインメニューの表示信号をビデオエンコーダ１５に送出し、ビデオエンコーダ１５は表示信号をコンポジット信号に変換し表示装置に送出し、表示装置の画面に図２のようなメインメニューが表示される。ここでは、各操作項目が選択枠２１と共に表示される。なお、以下説明する各種操作画面（図２、図３、図４、図５、図７）は、リモコン２０がボタン等の操作に対応する赤外線信号を送出し、リモコン受信部１６がこれを受信および復調し、操作信号をＣＰＵ８に送出し、ＯＳＤ部１４がＣＰＵ８の指示に基づき表示信号をビデオエンコーダ１５に送出し、ビデオエンコーダ１５が表示信号をコンポジット信号に変換し表示装置に送出することで、表示装置に表示される。
【００２１】
上記メインメニュー（図２）において、リモコン２０が有する矢印キーにより選択枠２１が移動され「放送視聴」が選択され、リモコン２０が有する決定ボタンが押されると、ＣＰＵ８は、スイッチ１１にビデオデコーダ５からＯＳＤ部１４への信号経路がつながるよう指示信号を送出し、ＯＳＤ部１４は、ビデオデコーダ５からのデジタル映像信号を受信する。ＯＳＤ部１４は、表示枠等の図形信号や現在選局されているチャンネル番号等の文字信号を生成し、上記デジタル映像信号と合成して表示信号としてビデオエンコーダ１５に送出する。そして、ビデオエンコーダ１５で表示信号がコンポジット信号に変換され表示装置に送出され、表示装置の画面にコンポジット信号に基づく映像が表示される。また、ＣＰＵ８は、スイッチ１２に検波回路４からハードディスレコーダ１外部への信号経路がつながるよう指示信号を送出し、検波回路４からの音声信号が表示装置に送出され、表示装置のスピーカから音声信号に基づく音声が発せられる。これにより、ユーザは放送番組を視聴することができる。
【００２２】
また、上記メインメニュー（図２）において、リモコン２０が有する矢印キーにより選択枠２１が移動され「通常録画」が選択され、リモコン２０が有する決定ボタンが押されると、図３（ａ）のようなチャンネル指定画面が表示装置に表示される。ここで、カーソル２２にリモコン２０が有するテンキーによりチャンネル番号が入力され、リモコン２０が有する決定ボタンが押されると、図３（ｂ）のような録画開始確認画面が表示装置に表示される。ここで、リモコン２０により選択枠２１が移動され「はい」が選択され、リモコン２０が有する決定ボタンが押されると、ＣＰＵ８は、フラッシュメモリ１７に通常録画中を表す情報を記憶する。そして、ＣＰＵ８は、上記で指定されたチャンネル番号を選局するようチューナ３に指示し、ＭＰＥＧエンコーダ７から受信した圧縮符号化されたデジタル映像信号およびデジタル音声信号をハードディスクドライブ９に送出する。そして、ハードディスクドライブ９は、圧縮符号化されたデジタル映像信号およびデジタル音声信号を内蔵するハードディスクに記録してゆき、指定されたチャンネル番号の放送番組が録画される。
【００２３】
録画中にリモコン２０の録画停止ボタンが押されると、ＣＰＵ８は、圧縮符号化されたデジタル映像信号およびデジタル音声信号をハードディスクドライブ９に送出することを停止し、仮タイトル名情報（例えば、「タイトル×」（×は数字））を生成し、ハードディスクドライブ９に送出する。そして、ハードディスクドライブ９は、仮タイトル名情報を録画情報に対応させて内蔵するハードディスクに記録する。なお、この仮タイトル名情報は後でユーザがリモコン２０の操作により自由に変更して、新しく設定されたタイトル名情報をハードディスクに記録しておくことができる。そして、ＣＰＵ８は、フラッシュメモリ１７に記憶された通常録画中を表す情報を消去する。以上で通常録画が完了する。
【００２４】
また、上記メインメニュー（図２）において、リモコン２０が有する矢印キーにより選択枠２１が移動され「予約録画」が選択され、リモコン２０が有する決定ボタンが押されると、図４（ａ）のようなチャンネル指定画面が表示装置に表示される。ここで、カーソル２２にリモコン２０が有するテンキーによりチャンネル番号が入力され、リモコン２０が有する決定ボタンが押されると、図４（ｂ）のような録画開始時刻指定画面が表示装置に表示される。ここでは、リモコン２０が有する矢印キーによりカーソル２２が月日時分に対応する位置を移動されながら、リモコン２０が有するテンキーにより数字が入力され、録画を開始する時刻が指定される。そして、リモコン２０が有する決定ボタンが押されると、図４（ｃ）のような録画終了時刻指定画面が表示装置に表示される。ここでは、リモコン２０が有する矢印キーによりカーソル２２が月日時分に対応する位置を移動されながら、リモコン２０が有するテンキーにより数字が入力され、録画を終了する時刻が指定される。そして、リモコン２０が有する決定ボタンが押されると、図４（ｄ）のような録画設定確認画面が表示装置に表示される。ここで、リモコン２０により選択枠２１が移動され「はい」が選択され、リモコン２０が有する決定ボタンが押されると、ＣＰＵ８は、フラッシュメモリ１７に上記で指定されたチャンネル番号、録画開始時刻、録画終了時刻を表す情報を記憶し、録画の予約が完了する。
【００２５】
その後、内部時計１８で計られた現在時刻情報とフラッシュメモリ１７に記憶された録画開始時刻情報が一致すると、ＣＰＵ８は、フラッシュメモリ１７に予約録画中を表す情報を記憶する。そして、ＣＰＵ８は、フラッシュメモリ１７に記憶されたチャンネル番号情報が表すチャンネル番号を選局するようチューナ３に指示し、ＭＰＥＧエンコーダ７から受信した圧縮符号化されたデジタル映像信号およびデジタル音声信号をハードディスクドライブ９に送出する。そして、ハードディスクドライブ９は、圧縮符号化されたデジタル映像信号およびデジタル音声信号を内蔵するハードディスクに記録してゆき、指定されたチャンネル番号の放送番組が録画される。
【００２６】
そして、録画中に内部時計１８で計られた現在時刻情報とフラッシュメモリ１７に記憶された録画終了時刻情報が一致すると、ＣＰＵ８は、圧縮符号化されたデジタル映像信号およびデジタル音声信号をハードディスクドライブ９に送出することを停止し、前述した仮タイトル名情報を生成し、ハードディスクドライブ９に送出する。そして、ハードディスクドライブ９は、仮タイトル名情報を録画情報に対応させて内蔵するハードディスクに記録する。そして、ＣＰＵ８は、フラッシュメモリ１７に記憶された予約録画中を表す情報およびチャンネル番号、録画開始時刻、録画終了時刻を表す情報を消去する。以上で予約録画が完了する。
【００２７】
また、上記メインメニュー（図２）において、リモコン２０が有する矢印キーにより選択枠２１が移動され「ＨＤ再生」が選択され、リモコン２０が有する決定ボタンが押されると、ＣＰＵ８は、ハードディスクドライブ９に、ハードディスクに記録された仮タイトル名情報およびユーザにより設定されたタイトル名情報を読み出すよう指示する。そして、ハードディスクドライブ９は、ハードディスクから仮タイトル名情報およびユーザにより設定されたタイトル名情報を読み出し、ＣＰＵ８に送出する。ＣＰＵ８は、仮タイトル名情報およびユーザにより設定されたタイトル名情報をＯＳＤ部１４に送出し、ＯＳＤ部１４は、仮タイトル名情報およびユーザにより設定されたタイトル名情報に基づき表示信号生成しビデオエンコーダ１５に送出し、ビデオエンコーダ１５は表示信号をコンポジット信号に変換し表示装置に送出する。そして、表示装置には図５のように仮タイトル名（「トラック０」等）およびユーザにより設定されたタイトル名（「ドラマ×××」等）がリスト表示される。
【００２８】
ここで、リモコン２０が有する矢印キーにより選択枠２１が移動され、任意の仮タイトル名またはユーザにより設定されたタイトル名が選択され、リモコン２０が有する決定ボタンが押されると、ＣＰＵ８は、スイッチ１１にＭＰＥＧデコーダ１０からＯＳＤ部１４への信号経路がつながるよう指示信号を送出し、また、スイッチ１２にＤ／Ａコンバータ１３からハードディスレコーダ１外部への信号経路がつながるよう指示信号を送出する。そして、ＣＰＵ８は、上記で選択された仮タイトル名またはユーザにより設定されたタイトル名に対応する圧縮符号化されたデジタル映像信号およびデジタル音声信号をハードディスクから読み出すようハードディスクドライブ９に指示し、ハードディスクドライブ９は、ハードディスクから圧縮符号化されたデジタル映像信号およびデジタル音声信号を読み出し、ＣＰＵ８に送出する。そして、ＣＰＵ８は、圧縮符号化されたデジタル映像信号およびデジタル音声信号をＭＰＥＧデコーダ１０に送出する。ＭＰＥＧデコーダ１０は、圧縮符号化されたデジタル映像信号を復号化し、ＯＳＤ部１４に送出する。ＯＳＤ部１４は、表示枠等の図形信号や上記で選択されたタイトル名等の文字信号を生成し、上記復号化されたデジタル映像信号と合成して表示信号としてビデオエンコーダ１５に送出する。そして、ビデオエンコーダ１５で表示信号がコンポジット信号に変換され表示装置に送出され、表示装置の画面にコンポジット信号に基づく映像が表示される。また、ＭＰＥＧデコーダ１０は、圧縮符号化されたデジタル音声信号を復号化し、Ｄ／Ａコンバータ１３に送出する。Ｄ／Ａコンバータ１３は、復号化されたデジタル音声信号をアナログ音声信号に変換し、表示装置に送出する。そして、表示装置のスピーカからアナログ音声信号に基づく音声が発せられる。これにより、ユーザはハードディスクに録画した所望する放送番組を再生視聴することができる。
【００２９】
次に、本発明に係るハードディスクレコーダ１の特徴である、録画中に停電が発生した場合の動作について以下図６のフローチャートに沿って説明する。
【００３０】
まず、ステップＳ１で、前述した通常録画または予約録画が開始する。このとき、前述したように、フラッシュメモリ７に通常録画中を表す情報または予約録画中を表す情報が記憶される。
【００３１】
そして、ステップＳ２で、録画中に停電が発生すると、ハードディスクレコーダ１への電力供給が停止し、録画が強制停止される。停電中、バックアップ用コンデンサ１９に充電された電力により内部時計１８の動作は維持される。また、フラッシュメモリ７は不揮発性なので停電しても記憶された情報は消えない。
【００３２】
そして、ステップＳ３で、停電が復帰すると、ハードディスクレコーダ１への電力供給が再開され、ＣＰＵ８が起動する。
【００３３】
そして、ステップＳ４で、ＣＰＵ８は、フラッシュメモリ７の所定領域を読みに行く。そして、ステップＳ５で、ＣＰＵ８は、フラッシュメモリ７の所定領域に通常録画中を表す情報と予約録画中を表す情報のいずれが記憶されているかを判断する。
【００３４】
もし、フラッシュメモリ７の所定領域に通常録画中を表す情報が記憶されていた場合、通常録画中に停電が発生したとして、ステップＳ６に進む。ステップＳ６で、ＣＰＵ８は、録画中にハードディスクに記録された情報のうち録画が強制停止されたため再生に支障となっている情報を消去するようハードディスクドライブ９に指示し、ハードディスクドライブ９はハードディスクからその情報を消去する。これはいわゆる録画復帰処理である。そして、ステップ７に進む。
【００３５】
ステップＳ７で、ＣＰＵ８は、タイトル名に停電発生を表す文字列を付加した文字列情報である仮タイトル名情報（例えば、「タイトル×停電発生」（×は数字））を生成し、ハードディスクドライブ９に送出し、ハードディスクドライブ９は、上記仮タイトル名情報を録画情報に対応させて内蔵するハードディスクに記録する。そして、本フローは終了する。
【００３６】
また上記ステップＳ５で、もし、フラッシュメモリ７の所定領域に予約録画中を表す情報が記憶されていた場合、予約録画中に停電が発生したとして、ステップＳ８に進む。ステップＳ８で、ＣＰＵ８は、録画中にハードディスクに記録された情報のうち録画が強制停止されたため再生に支障となっている情報を消去するようハードディスクドライブ９に指示し、ハードディスクドライブ９はハードディスクからその情報を消去する。これはいわゆる録画復帰処理である。そして、ステップ９に進む。
【００３７】
前述したように録画予約時に、フラッシュメモリ１７にチャンネル番号、録画開始時刻、録画終了時刻を表す情報が記憶される。ステップＳ９で、ＣＰＵ８は、フラッシュメモリ１７に記憶された録画終了時刻を表す情報と内部時計１８で計られた現在時刻情報とを比較し、もし録画終了時刻が既に経過していれば（ステップＳ９のＹ）、後述するステップＳ１１に進む。
【００３８】
もし、録画終了時刻がいまだ経過していなければ（ステップＳ９のＮ）、ステップＳ１０に進み、ＣＰＵ８は、フラッシュメモリ１７に記憶されたチャンネル番号情報が表すチャンネル番号を選局するようチューナ３に指示し、ＭＰＥＧエンコーダ７から受信した圧縮符号化されたデジタル映像信号およびデジタル音声信号をハードディスクドライブ９に送出する。そして、ハードディスクドライブ９は、圧縮符号化されたデジタル映像信号およびデジタル音声信号を上記録画復帰処理後の録画情報に続けて内蔵するハードディスクに記録してゆき、指定されたチャンネル番号の放送番組が録画される。そして、録画中に内部時計１８で計られた現在時刻情報とフラッシュメモリ１７に記憶された録画終了時刻情報が一致すると、ＣＰＵ８は、圧縮符号化されたデジタル映像信号およびデジタル音声信号をハードディスクドライブ９に送出することを停止し、録画を終える。そして、ステップＳ１１に進む。
【００３９】
ステップＳ１１で、ＣＰＵ８は、前述のステップＳ７と同様の仮タイトル名情報を生成し、ハードディスクドライブ９に送出し、ハードディスクドライブ９は、上記仮タイトル名情報を録画情報に対応させて内蔵するハードディスクに記録する。そして、本フローは終了する。
【００４０】
以上のようなフローの処理後、前述のメインメニュー（図２）において、リモコン２０が有する矢印キーにより選択枠２１が移動され「ＨＤ再生」が選択され、リモコン２０が有する決定ボタンが押されると、ＣＰＵ８は、ハードディスクドライブ９に、ハードディスクに記録された仮タイトル名情報およびユーザにより設定されたタイトル名情報を読み出すよう指示する。そして、ハードディスクドライブ９は、ハードディスクから仮タイトル名情報およびユーザにより設定されたタイトル名情報を読み出し、ＣＰＵ８に送出する。ＣＰＵ８は、仮タイトル名情報およびユーザにより設定されたタイトル名情報をＯＳＤ部１４に送出し、ＯＳＤ部１４は、仮タイトル名情報およびユーザにより設定されたタイトル名情報に基づき表示信号を生成しビデオエンコーダ１５に送出し、ビデオエンコーダ１５は表示信号をコンポジット信号に変換して表示装置に送出する。そして、表示装置には図７のように仮タイトル名（「トラック０」「タイトル７停電発生」等）およびユーザにより設定されたタイトル名（「ドラマ×××」等）がリスト表示される。このように、ユーザは「停電発生」の文字表示を見ることで録画中に停電が発生したことを確認できる。
【００４１】
ここで、リモコン２０が有する矢印キーにより選択枠２１が移動され、任意の仮タイトル名またはユーザにより設定されたタイトル名が選択され、リモコン２０が有する決定ボタンが押されると、前述したように、選択されたタイトル名に対応するハードディスクに録画された情報が表示装置で再生される。「停電発生」の表示がされたタイトルを再生すると、再生途中で映像音声が途切れるか、急にジャンプすることになる。
【００４２】
このように、本発明によれば、録画情報を再生する前にまえもって録画中に停電が発生したことをユーザは知ることができ、利便性の高いものとなる。
【００４３】
また、本発明は、以下のようにしても同様の効果が得られる。まず、図６のフローチャートのステップＳ７およびステップ１１において、通常の仮タイトル名情報（例えば、「タイトル×（×は数字）」）および停電発生を表すフラグ情報を録画情報に対応させてハードディスクに記録するようにする。
【００４４】
そして、図６のフロー処理後、前述のメインメニュー（図２）において、リモコン２０が有する矢印キーにより選択枠２１が移動され「ＨＤ再生」が選択され、リモコン２０が有する決定ボタンが押されると、ＣＰＵ８は、ハードディスクドライブ９に、ハードディスクに記録された仮タイトル名情報、ユーザにより設定されたタイトル名情報および上記の停電発生を表すフラグ情報を読み出すよう指示する。そして、ハードディスクドライブ９は、ハードディスクから仮タイトル名情報およびユーザにより設定されたタイトル名情報を読み出し、ＣＰＵ８に送出する。ＣＰＵ８は、仮タイトル名情報およびユーザにより設定されたタイトル名情報をＯＳＤ部１４に送出し、ＯＳＤ部１４は、仮タイトル名情報およびユーザにより設定されたタイトル名情報に基づき表示信号を生成しビデオエンコーダ１５に送出し、ビデオエンコーダ１５は表示信号をコンポジット信号に変換して表示装置に送出する。ここでは、表示装置には図５のように仮タイトル名（「トラック０」等）およびユーザにより設定されたタイトル名（「ドラマ×××」等）がリスト表示され、仮タイトル名は通常のものである。
【００４５】
ここで、リモコン２０が有する矢印キーにより選択枠２１が移動され、停電発生を表すフラグ情報に対応するタイトル名が選択された場合に、ＣＰＵ８は、停電発生を表す所定の音声信号（例えば、「録画中に停電が発生しました」）を生成し、Ｄ／Ａコンバータを介して、表示装置に送出する。そして、表示装置のスピーカから音声信号に対応する音声が発せられる。
【図面の簡単な説明】
【００４６】
【図１】は、本発明に係るハードディスクレコーダのブロック図である。
【図２】は、メインメニュー画面を示す図である。
【図３】は、通常録画の操作画面を示す図である。
【図４】は、予約録画の操作画面を示す図である。
【図５】は、ハードディスクに録画されたタイトルのリスト表示画面を示す図である。
【図６】は、録画中に停電が発生した場合の動作手順を示すフローチャートである。
【図７】は、ハードディスクに録画されたタイトルのリスト表示画面を示す図である。
【符号の説明】
【００４７】
１    ハードディスクレコーダ
２    アンテナ
３    チューナ
４    検波回路
５    ビデオデコーダ
６    Ａ／Ｄコンバータ
７    ＭＰＥＧエンコーダ
８    ＣＰＵ
９    ハードディスクドライブ
１０    ＭＰＥＧデコーダ
１１    スイッチ
１２    スイッチ
１３    Ｄ／Ａコンバータ
１４    ＯＳＤ部
１５    ビデオエンコーダ
１６    リモコン受信部
１７    フラッシュメモリ
１８    内部時計
１９    バックアップ用コンデンサ
２０    リモコン
２１    選択枠
２２    カーソル
２３    ＲＡＭ
【図１】
2007214727.tif 000003
【図２】
2007214727.tif 000004
【図３】
2007214727.tif 000005
【図４】
2007214727.tif 000006
【図５】
2007214727.tif 000007
【図６】
2007214727.tif 000008
【図７】
2007214727.tif 000009